(57)【要約】【解決手段】スクリーンアセンブリは、第１および第２のフレーム部材と、フレーム部材のうちの１つに取付けられた回転可能なスプリングで付勢したローラを有する。スクリーンは、一方の端部でローラに固定され、第２の端部でもう一方のフレーム部材に固定される。フレーム部材に連結され、その中央部からずれた地点で第１のフレーム部材にヒンジ式に連結された第１のアーム、第１のアームにヒンジ式に連結された第２のアーム、その中央部に近接している第２のフレーム部材、中央部に近接して第３のアームおよび第２のフレーム部材に連結された第４のアームを有する。第２のアームの途中および中央部の一面で第２のフレーム部材に連結した第１の付勢部材、第４のアームの途中および中央部の反対側の面で第２のフレーム部材に連結した第２の付勢部材を有する。第１および第２のフレーム部材は閉じた状態と開いた状態との間で配置可能である。【選択図】図２
2008513814.tif 000002
【特許請求の範囲】
【請求項１】
第１のフレーム部材と、第２のフレーム部材と、前記第１のフレーム部材と前記第２のフレーム部材のうちの一方に回転可能に取付けられ、スプリングで付勢したローラとを有し、
スクリーンは、一端で前記スプリングで付勢したローラに固定され、第２の端部で前記第１のフレーム部材と前記第２のフレーム部材のうちのもう一方に固定され、
伸長可能なリンクアセンブリは、前記第１のフレーム部材を前記第２のフレーム部材に連結し、
前記伸長可能なリンクアセンブリは、中央部からずれた地点で前記第１のフレーム部材にヒンジ式に連結された第１のアームと、前記第１のアームにヒンジ式に連結され、中央部に近接して前記第２のフレーム部材にヒンジ式に連結された第２のアームと、前記第１のアームとは中央部に対して反対側にある地点で前記第１のフレーム部材にヒンジ式に連結された第３のアームと、前記第３のアームにヒンジ式に連結され、中央部に近接して前記第２のフレーム部材にヒンジ式に連結された第４のアームとを有し、
第１の付勢部材は、前記第２のアームに連結され、前記第２のフレーム部材に連結され、
第２の付勢部材は、前記第４のアームに連結され、前記第２のフレーム部材に連結され、
前記第１および第２のフレーム部材は、前記第１および第２のフレーム部材が互いに隣接し、スクリーンが前記スプリングで付勢したローラに巻かれた閉じた位置と、前記第１および第２のフレーム部材が引き離され、スクリーンが前記スプリングで付勢したローラから少なくとも部分的に繰り出された開いた位置との間で位置をとることができる、ことを特徴とするスクリーンアセンブリ。
【請求項２】
前記第１の付勢部材は、前記中央部からずれた地点で第２フレーム部材に連結され、
前記第２の付勢部材は、前記中央部に対して反対側にある地点で、前記第１の付勢部材のように連結される、ことを特徴とする請求項１に記載のスクリーンアセンブリ。
【請求項３】
前記第１のアームは、前記第２のアームより長い、ことを特徴とする請求項１に記載のスクリーンアセンブリ。
【請求項４】
前記第３のアームは、前記第４のアームより長い、ことを特徴とする請求項３に記載のスクリーンアセンブリ。
【請求項５】
前記第１のアームが前記第１のフレーム部材にヒンジ式に連結されている部分は、前記第１のフレーム部材の一方の端部に近接している、ことを特徴とする請求項１に記載のスクリーンアセンブリ。
【請求項６】
前記第３のアームが前記第１のフレーム部材にヒンジ式に連結されている部分は、前記第１のフレーム部材の反対側の端部に近接している、ことを特徴とする請求項１に記載のスクリーンアセンブリ。
【請求項７】
前記第１のフレーム部材および第２のフレーム部材が完全に開いた状態のとき、前記第１のアームおよび第２のアームのヒンジ式に連結された部分は、前記第３のアームおよび第４のアームのヒンジ式に連結された部分と近接している、ことを特徴とする請求項１に記載のスクリーンアセンブリ。
【請求項８】
前記第１の付勢部材は、前記第２のフレーム部材よりも前記第２のアームの中央部に近接している前記第２のアームの途中で、前記第２のアームと連結される、ことを特徴とする請求項７に記載のスクリーンアセンブリ。
【請求項９】
前記第２の付勢部材は、前記第２のフレーム部材よりも前記第４のアームの中央部に近接している前記第４のアームの途中で、前記第４のアームと連結される、ことを特徴とする請求項８に記載のスクリーンアセンブリ。
【請求項１０】
前記第１のフレーム部材および前記第２のフレーム部材のそれぞれは、前記第１のフレーム部材および前記第２のフレーム部材が開いた状態のとき、前記スクリーンを直立した状態で安定させるための少なくとも１つの安定化足部をさらに有する、ことを特徴とする請求項１に記載のスクリーンアセンブリ。
【請求項１１】
前記第１のフレーム部材が前記閉じた状態にあるとき、前記第１のフレーム部材を前記第２のフレーム部材に解除可能にロックするために、前記第１のフレーム部材に解除可能なロック機構をさらに有する、ことを特徴とする請求項１に記載のスクリーンアセンブリ。
【請求項１２】
第１のフレーム部材と、第２のフレーム部材と、前記第１のフレーム部材と前記第２のフレーム部材のうちの一方に回転可能に取付けられ、スプリングで付勢したローラとを有し、
スクリーンは、一端で前記スプリングで付勢したローラに固定され、第２の端部で前記第１のフレーム部材と前記第２のフレーム部材のうちのもう一方に固定され、
伸長可能なリンクアセンブリは、前記第１のフレーム部材を前記第２のフレーム部材に連結し、
前記伸長可能なリンクアセンブリは、中央部からずれた地点で前記第１のフレーム部材にヒンジ式に連結された第１のアームと、前記第１のアームにヒンジ式に連結され、中央部に近接して前記第２のフレーム部材にヒンジ式に連結された第２のアームと、前記第１のアームとは中央部に対して反対側にある地点で前記第１のフレーム部材にヒンジ式に連結された第３のアームと、前期第３のアームにヒンジ式に連結され、中央部に近接して前記第２のフレーム部材にヒンジ式に連結された第４のアームとを有し、
第１の付勢部材は、前記第２のフレーム部材の前記中央部からずれた地点で、前記第２のアームに連結され、前記第２のフレーム部材に連結され、
第２の付勢部材は、前記中央部に対して反対側にある地点で、前記第１の付勢部材のように、前記第４のアームに連結され、前記第２のフレーム部材に連結され、
前記第１および第２のフレーム部材は、前記第１および第２のフレーム部材が互いに隣接し、スクリーンが前記スプリングで付勢したローラに巻かれた閉じた位置と、前記第１および第２のフレーム部材が引き離され、スクリーンが前記スプリングで付勢したローラから少なくとも部分的に繰り出された開いた位置との間で位置をとることができる、ことを特徴とするスクリーンアセンブリ。
【発明の詳細な説明】
【技術分野】
【０００１】
本発明は、概略的には画像を映すスクリーンに関し、特に、本発明は、画像を映すのに簡単に開かれ、保管または運搬するのに簡単に閉じられる携帯用スクリーンに関する。
【背景技術】
【０００２】
スクリーンは、映画、テレビ番組、コンピュータ画面などを表示するのに家庭やオフィスで幅広く使用されている。この種のスクリーンを収容するために家庭とオフィスの両方で一般的に使用される、様々なタイプのスクリーンアセンブリが数多くある。壁取付式スクリーンは、スクリーンを取り付けるための安定しかつ平らな面が壁にある場合に便利である。天井取付式スクリーンもまた、使用に当たってスクリーンを下方に広げることでスクリーンが開き、天井に取り付けられたハウジングにスクリーンを格納することでスクリーンが閉じられることから使い勝手がよい。天井取付式ハウジングは、視野から隠れる好都合な格納場所となる。壁および天井取付式ハウジングはともに、他の場所にスクリーンを移動させるには不便である。この種のスクリーンは、家やオフィスの中、オフィス間等での移動のために持ち運びできるよう意図されたものではない。
【０００３】
携帯用スクリーンアセンブリは、スクリーンを使用する会場を変更するのにスクリーンの可搬性が有用であることから使用されてきた。この種のスクリーンの一例には、三脚に搭載した大型スクリーンがあり、この大型スクリーンは、例えば、スライドをスライドプロジェクタから投影するのに一般的に使用されている。これらのスクリーンは従来幅広く使用されたが、この種のスクリーンは運搬することや立てることが幾分厄介である。
【０００４】
１つの特定の携帯用スクリーンが提案され、タカモトらによる特許文献１に開示されている。この携帯用スクリーンは、概して平行である２つのフレーム部材を有する。フレーム部材の一方は、スプリングで付勢したロールを収容し、スクリーンの一端はこのローラに取り付けられており、スクリーンは、閉じた状態のときにロールに巻き付けられている。スクリーンの他端は、他方のフレーム部材に取り付けられ、両フレーム部材は、スクリーンを開くために引き離される。支持バーがフレーム部材の間に伸長して、スクリーンを開いた状態に維持する。
【特許文献１】米国特許第６，２４９，３７７号
【発明の開示】
【発明が解決しようとする課題】
【０００５】
しかし、このスクリーンには幾つかの欠点がある。特に、このスクリーンの縁部はうまく支持されず、カールする傾向がある。したがって、このスクリーンでは、視聴のための平坦な投影面を提供できない。スクリーンを一部だけ開くのが望ましい場合に、スクリーンの張力が弱くなってスクリーンはさらに不安定になり、縁部がカールする。
【０００６】
したがって、スクリーンの安定性を改良し、縁部のカールを低減した携帯用スクリーンアセンブリを提供することが望ましい。
【課題を解決するための手段】
【０００７】
本発明の１つの態様では、第１のフレーム部材と、第２のフレーム部材と、第１のフレーム部材と第２のフレーム部材のうちの一方に回転可能に取り付けられ、スプリングで付勢したローラとを有するスクリーンアセンブリが提供される。スクリーンは、一端でスプリング付勢のローラに固定され、第２の端部で第１のフレームと第２のフレームのうちのもう一方に固定される。伸長可能なリンクアセンブリは、第１のフレーム部材を第２のフレーム部材に連結する。伸長可能なリンクアセンブリは、中央部からずれた地点で第１のフレーム部材にヒンジ式（蝶番式）に連結された第１のアームと、第１のアームにヒンジ式に連結され、中央部に近接して第二のフレーム部材にヒンジ式に連結された第２のアームと、第１のアームとは中央部に対して反対側にある地点で第１のフレーム部材にヒンジ式に連結された第３のアームと、第３のアームにヒンジ式に連結され、中央部に近接して第２のフレーム部材にヒンジ式に連結された第４のアームとを有する。伸長可能なリンクアセンブリはまた、第２のアームに連結され、中央部からずれた地点で第２のフレーム部材に連結された第１の付勢部材と、第４のアームに連結され、第１の付勢部材とは中央部に対して反対側にある地点で第２のフレーム部材に連結された第２の付勢部材とを有する。第１および第２のフレーム部材は、第１および第２のフレーム部材が互いに隣接し、スクリーンがスプリング付勢したローラに巻かれた閉じた位置と、第１および第２のフレーム部材が引き離され、スクリーンがスプリング付勢したローラから少なくとも部分的に繰り出された開いた位置との間で位置をとることができる。
【０００８】
好都合にも、スクリーンの安定性の改良は、伸長可能なリンクアセンブリを使用することで実現される。伸長可能なリンクアセンブリは、スプリング付勢したローラの付勢力を打ち消すように付勢されるので、張力がスクリーン全体にわたって維持される。つまり、スプリング付勢したローラは、スクリーンを巻き取り、フレーム部材を閉じた位置に移動させるように付勢される。伸長可能なリンクは、スプリング付勢したローラの付勢力を打ち消し、フレーム部材を開いた位置に維持するように付勢される。スプリング付勢したローラおよび伸長可能なリンクアセンブリは、スクリーン縁部のカールを減らして、実質的に平坦な投影面を提供する。また、使用するスクリーンの幅は、２つのフレーム部材の間隔が調整可能であることから調整することができ、したがって、スクリーンアセンブリは、２つのフレーム部材が完全に開いた状態ではない場合でも使用することができる。スクリーンの安定性を改良し、スクリーン縁部のカールを減らすことは、フレーム部材が完全に開いた状態でない場合でも実現される。
【０００９】
本発明の１つの実施形態では、２つのアームは、安定させるために各フレーム部材にヒンジ式に連結される。
【発明の効果】
【００１０】
本発明によれば、スクリーンの安定性を改良し、縁部のカールを低減した携帯用スクリーンアセンブリを提供することができる。
【発明を実施するための最良の形態】
【００１１】
本発明の実施形態によるスクリーンアセンブリについて図を参照して説明する。スクリーンアセンブリは、図面において符号２０で全般的に示されている。スクリーンアセンブリ２０は、第１のフレーム部材２２と、第２のフレーム部材２４と、第１のフレーム部材２２および第２のフレーム部材２４の一方に回転可能に取り付けられたスプリングで付勢したローラ２６とを有する。スクリーン２８は、スプリングで付勢したローラ２６に一方の端部で固定され、第１のフレーム部材２２および第２のフレーム部材２４のもう一方に第２の端部で固定されている。伸長可能なリンクアセンブリ３０は、第１のフレーム部材２２を第２のフレーム部材２４に連結している。伸長可能なリンクアセンブリ３０は、中央部からずれた地点で第１のフレーム部材２２にヒンジ式に連結された第１のアーム３２と、第１のアーム３２にヒンジ式に連結され、中央部に近接して第２のフレーム部材２４にヒンジ式に連結された第２のアーム３４と、第１のアーム３２とは中央部に対して反対側にある地点で第１のフレーム部材２２にヒンジ式に連結された第３のアーム３６と、第３のアーム３６にヒンジ式に連結され、中央部に近接して第２のフレーム部材２４にヒンジ式に連結された第４のアーム３８とを有する。伸長可能なリンクアセンブリ３０は、また、第２のアーム３４の途中に連結され、中央部からずれた地点で第２のフレーム部材２４に連結された第１の付勢部材４０と、第４のアーム３８の途中に連結され、第１の付勢部材４０とは中央部に対して反対側にある地点で第２のフレーム部材２４に連結された第２の付勢部材４２とを有する。第１のフレーム部材２２および第２のフレーム部材２４は、第１のフレーム部材２２および第２のフレーム部材２４が互いに隣接し、スクリーン２８がスプリングで付勢したローラ２６に巻き取られた閉じた位置と、第１のフレーム部材２２および第２のフレーム部材２４が引き離され、スクリーン２８がスプリングで付勢したローラ２６から少なくとも部分的に繰り出された開いた位置との間で位置をとることができる。
【００１２】
以下、図面を参照して、携帯用スクリーンアセンブリ２０についてさらに説明する。まず、図１および図２を参照して、第１のフレーム部材２２および第２のフレーム部材２４はそれぞれ、アルミニウムなどの適切な材料から作られる。図に示すように、第１のフレーム部材２２および第２のフレーム部材２４はそれぞれ長さがほぼ等しく、両方とも断面がおよそＣ字形状である。第１のフレーム部材２２は、スプリングで付勢したローラ２６を、そのスプリング付勢のローラ２６の周りに巻き付けられたスクリーン２８を含めて、内部に収容するのに適した寸法とされる。図５および図６に示すように、第２のフレーム部材２４は、閉じた位置にある場合に、本明細書でさらに説明する伸長可能なリンクアセンブリ３０を受け入れ、第１のフレーム部材２２と対合するのに適切な寸法とされる。明らかに、Ｃ字形状の第１のフレーム部材２２の端部は、Ｃ字形状の第２のフレーム部材２４の相補的な端部と対合（嵌合）するのに適している。
【００１３】
スクリーン２８の第１の端部は第２のフレーム部材２４に固定され、反対にあるスクリーン２８の第２の端部は、第１のフレーム部材２２内でスプリングで付勢したローラ２６に固定されている。スクリーンを第２のフレーム部材２４に固定するために、スクリーン２８の第１の端部が金属バーに固定され、次に、金属バーが第２のフレーム部材２４内に固定されている。反対にあるスクリーン２８の第２の端部は、スプリングで付勢したローラ２６に固定され、このローラは、第１のフレーム部材２２内に回転可能に取り付けられ、スクリーン２８をスプリングで付勢したローラ２６のまわりに巻き付けるときに、スクリーン２８を受けるために回転するように付勢されている。
【００１４】
スクリーン２８は、例えば、レジン層が反射層上に形成されたビード層を覆う多層材料などの適切な材料から作られる。反射層は、ポリエチレンテレフタレート（ＰＥＴ）などのベース材料に接着されている。スクリーン２８は、スプリングで付勢したローラ２６に巻き付けることができ、フレーム部材２２、２４を引き離すときに繰り出せるように柔軟なものとされる。
【００１５】
図１から図６に示すように、スクリーンは、図１で最もよく分かる開いた状態と、図６で最もよく分かる閉じた状態との間を移動することができる。（図２から図４に最もよく示された）伸長可能なリンクアセンブリ３０は、第１のフレーム部材２２を第２のフレーム部材２４に連結し、スクリーン２８を安定させる。伸長可能なリンクアセンブリ３０は、本明細書をわかりやすくするために、第１のアーム３２、第２のアーム３４、第３のアーム３６、および第４のアーム３８として番号を付けられたアームを有する。本明細書で第１の付勢部材４０および第２の付勢部材４２と呼ぶ一対の付勢部材も、スクリーン２８を安定させる伸長可能なリンクアセンブリ３０の一部を形成する。
【００１６】
第１のアーム３２は、第１のフレーム部材２２の上部に近接した地点で第１のフレーム部材２２にヒンジ式に連結されている。Ｃ字形状の第１のフレーム部材２２に固定され、これの内壁から内側に突出する取付ブラケット４４により、第１のアーム３２を第１のフレーム部材２２にヒンジ式に連結するのが容易になる。図示するように、取付ブラケット４４は、スプリングで付勢したローラ２６よりもＣ字形状の第１のフレーム部材２２の開口に近く、第１のフレーム部材２２および第２のフレーム部材２４が開いた位置にあるときに、スクリーン２８の背後に配置される。明らかに、取付ブラケット４４は、スクリーン２８またはスプリングで付勢したローラ２６に干渉しないように配置され、第１のフレーム部材２２および第２のフレーム部材２４が閉じた位置に移動されるときに妨害しないように配置されている。言い換えると、第１のアーム３２の端部は、第１のアーム３２が第１のフレーム部材２２に対して回転できるように取付ブラケット４４にヒンジ式に連結されている。
【００１７】
第１のアーム３２の反対側の端部は、第２のアーム３４が第１のアーム３２に対して回転できるように、ヒンジピンによって第２のアーム３４の端部にヒンジ式に連結されている。次に、第２のアーム３４の反対側の端部は、第２のフレーム部材２４の中央部に近接した地点で第２のフレーム部材２４に連結されている。Ｃ字形状の第２のフレーム部材２４内で背面に固定された取付ブラケット４６により、第２のアーム３４を第２のフレーム部材２４にヒンジ式に連結するのが容易になる。第２のアーム３４は、取付ブラケット４６にヒンジ式に連結されている。
【００１８】
図示するように、第１の付勢部材４０はスプリングコイルである。第１の付勢部材４０の一方の端部は、第２のアーム３４と第１のアーム３２の連結点よりも第２のアーム３４と第２のフレーム２４の連結点に近い、第２のアーム３４の長さ方向に沿った約２／３の距離にある地点で第２のアーム３４の途中に連結している。第１の付勢部材４０の他方の端部は、近接しているが第２のフレーム部材２４の上部ではない地点で、第２のフレーム部材２４に連結している。
【００１９】
図示するように、第３のアーム３６は、第１のフレーム部材２２の底部に近接した地点で、第１のフレーム部材２２にヒンジ式に連結されている。Ｃ字形状の第１のフレーム部材２２の内壁に固定され、これから内側に突出した取付ブラケット４８により、第３のアーム３６を第１のフレーム部材２２に連結するのが容易になる。図示するように、取付ブラケット４８は、スプリングで付勢したローラ２６よりもＣ字形状の第１のフレーム部材２２の開口に近く、第１のフレーム部材２２および第２のフレーム部材２４が開いた位置にあるときに、スクリーン２８の背後に配置される。明らかに、取付ブラケット４８は、スクリーン２８またはスプリングで付勢したローラ２６に干渉しないように配置され、第１のフレーム部材２２および第２のフレーム部材２４が閉じた位置に移動されるときに妨害しないように配置されている。言い換えると、第３のアーム３６の端部は、第３のアーム３６が第１のフレーム部材２２に対して回転できるように、取付ブラケット４８にヒンジ式に連結されている。
【００２０】
第３のアーム３６の反対側の端部は、第４のアーム３８が第３のアーム３６に対して回転できるように、ヒンジピンによって第４のアーム３８の端部にヒンジ式に連結されている。次に、第４のアーム３８の反対側の端部は、第２のフレーム部材２４の中央部に近接した地点で第２のフレーム部材２４に連結されている。Ｃ字形状の第２のフレーム部材２４内で背面に固定された取付ブラケット５０により、第４のアーム３８を第２のフレーム部材２４にヒンジ式に連結するのが容易になる。第２のアーム３４が連結された取付ブラケット４６は、第４のアーム３８が連結された取付ブラケット５０に隣接している。したがって、第２のアーム３４と第２のフレーム部材２２の連結点は、第４のアーム３８と第２のフレーム部材２４の連結点に隣接している。
【００２１】
第１の付勢部材４０と同様に、第２の付勢部材４２もコイルスプリングである。第２の付勢部材４２の一方の端部は、第４のアーム３８と第３のアーム３６の連結点よりも第４のアーム３８と第２のフレーム部材２４の連結点に近い、第２のアーム３４の長さに沿った約２／３の距離にある地点で第４のアーム３８の途中に連結されている。第２の付勢部材４２の他方の端部は、近接しているが第２のフレーム部材２４の底部ではない地点で第２のフレーム部材２４に連結されている。
【００２２】
図示するように、第３のアーム３６は、第１のアーム３２とは中央部に対しておよそ等しい距離だけ反対側に離れた地点で第１のフレーム部材２２にヒンジ式で連結されている。同様に、第２の付勢部材４２は、第１の付勢部材４０とは中心部に対しておよそ等しい距離だけ離れた地点で第２のフレーム部材２４にヒンジ式に連結されている。明らかに、第２のアーム３４は、第１のアーム３２ほど長くない。同様に、第４のアーム３８は、第３のアーム３６ほど長くない。
【００２３】
図２に示すように、スクリーンアセンブリ２０が開いた状態にあるときに、第１のフレーム部材２２は、第２のフレーム部材２４から引き離されている。この状態で、第１のアーム３２と第２のアーム３４の連結点は、第３のアーム３６と第４のアーム３８の連結点に隣接している。第１のアーム３２、第２のアーム３４、第３のアーム３６、および第４のアーム３８のそれぞれは、可能な限り伸長した状態で水平方向に近接している。スプリングで付勢したローラ２６は、いっぱいに伸長したスクリーン２８を巻き取るように付勢されている。したがって、スプリングで付勢したローラは、スクリーンアセンブリを閉じた状態に付勢する。第１の付勢手段４０は、第２のアーム３４を上方に、図２に示すように、ほぼ水平な状態となるように付勢する。第２の付勢手段４２は、第４のアーム３８を下方に、図２に示すように、ほぼ水平な状態となるように付勢する。したがって、第１の付勢部材４０および第２の付勢部材４２は、スクリーンアセンブリ２０を開いた状態に付勢する。開いた状態にあるときに、スクリーンアセンブリ２０を開いた状態に付勢する力は、スクリーンアセンブリ２０を閉じた状態に付勢する力よりも大きい。したがって、スクリーンは開いた状態のままとなる。
【００２４】
図５および図６に示すように、スクリーンアセンブリ２０が閉じた状態にあるときに、第１のフレーム部材２２は第２のフレーム部材２４に隣接し、これと協働する。第１のフレーム部材２２および第２のフレーム部材２４は一体となって、スプリングで付勢したローラ２６のまわりに巻かれたスクリーン２８と伸長可能なリンクアセンブリを収容する囲み体を形成している。図５の想像外形線で最もよく示されているように、この状態で、第１のアーム３２、第２のアーム３４、第３のアーム３６、第４のアーム３８、ならびに第１の付勢部材４０および第２の付勢部材４２は実質的に直立し、第２のフレーム部材２４内に配置されている。
【００２５】
第１のフレーム部材２２は、スクリーンアセンブリが、開いた状態、閉じた状態、または図３の想像外形線および図４の実線外形線で示すように、開いた状態と閉じた状態の間の部分的に開いた状態になるように、第２のフレーム部材２４に対して位置をとることができる。
【００２６】
第１のフレーム部材２２および第２のフレーム部材２４はそれぞれ、第１のフレーム部材２２および第２のフレーム部材２４のうちの該当する１つの両端部に固定され、これを閉鎖する上端キャップ５３と底端キャップ５４を有する。第１のフレーム部材２２および第２のフレーム部材２４のそれぞれはまた、スクリーンを直立した状態で安定させる、２つの折り畳み式安定化足部５２を底端部に有する。図６は、閉じた状態にあるスクリーンアセンブリの斜視図であり、折り畳み式の安定化足部５２を開いた状態で示している。図７は、閉じた状態にある（本明細書では足部と呼ぶ）折り畳み式の安定化足部５２を示すスクリーンアセンブリの部分斜視図である。図６および図７を参照すると、第２のフレーム部材２４は、第２のフレーム部材２４の下方部分を囲み、底面が閉じた底端キャップ５４を有する。底端キャップ５４は、第２のフレーム部材に固定され、足部５２が閉じた状態にあるときに足部５２を受け入れる、概して長方形の２つの陥没した受け口５６を有する。陥没受け口５６は、底端キャップ５４の両側にあるので、足部５２は、第２のフレーム部材２４の前部および後部で受け口５６に受け入れられる。
【００２７】
第１のフレーム部材２２の片側を示す図８、図９Ａ、および図９Ｂを参照すると、底端キャップ５４は、長方形の陥没受け口５６の底端部に足部５２の一方の一部を受け入れる半円スロット５８を有する。図示するように、下方に突出した平行な壁６０は、一部分のみが半円スロット５８に伸びている。開孔６２は、半円スロットの各端部で底端キャップ５４を貫通して、足部５２の一方のピボットピンを受け入れる。
【００２８】
各足部５２は、概してＵ字形状の胴体部６４を有し、その胴体部６４の各端部には一対の半円突起６６がある。各半円突起６６は、内側を向いた１つの平面６８と外側を向いた成形面７０を有する。各成形面７０は、前方の傾斜した縁部７５と後方のショルダ７６によって画定されるリブ７２を有する。
【００２９】
ピボットピン７８は、最外部にある２つの半円突起６６の各成形面７０から、かつ各足部の各半円突起６６のほぼ中心点から外側に突出している。ピボットピン７８は、底端キャップ５４の開孔６２に挿入されて、底端キャップ５４内で各足部５２をヒンジ式に連結する。明らかに、半円突起６６は半円スロット５８内に達し、成形面７０は壁６０と協働して、足部５２を開いた位置と閉じた位置に位置決めする。
【００３０】
足部５２が閉じた位置にあるとき、足部５２の胴体部６４は該当する陥没受け口５６に受け入れられる。各壁６０の１つの縁部は、成形面７０の該当する前部傾斜縁部７５と当接する。足部５２が閉じた位置から開いた位置に移動するときに、各傾斜縁部７５は該当する壁６０に押し付けられ、リブ７２の側面が移動して該当する壁６０と当接し、これに隣接する。当然のことながら、各半円突起６６におけるこの移動および壁６０との相互作用により、Ｕ字形状の胴体部６４の端部はともに押される。足部５２が開いた位置まで完全に移動すると、各リブ７２は該当する壁６０を通り過ぎ、後部ショルダ７６が壁６０の縁部に当接する。図９Ａに最もよく示すように、この位置で、Ｕ字形状の胴体部６４の端部はもはやともに押されることはなく、したがって、分離した位置に戻される。開いた位置にあるときに、各足部５２は底端キャップ５４から外側に突出して、スクリーンアセンブリ２０の残りの部分を直立した状態で安定させる。足部５２を閉じた位置に戻すには、図９Ｂに最もよく示すように、Ｕ字形状の胴体部６４の端部がともに押され、足部５２が閉じた位置に移動される。
【００３１】
当然のことながら、２つの足部５２は、各底端キャップ５４の両側でヒンジ式に連結される。２つの足部５２は、各底端キャップ５４の両側から外側に延びる。したがって、本実施形態のスクリーンアセンブリ２０は、全部で４つの足部５２を有する。
【００３２】
図１および図２を参照すると、スクリーンアセンブリ２０は、例えば、運搬中にスクリーンアセンブリ２０を閉じた状態に維持するために、両側に解除可能なロック機構を有する。各解除可能なロック機構は、スプリングで付勢したラッチ８０を第１のフレーム部材２２に有し、ラッチ８０は第２のフレーム部材２４にある該当する留め金８２と協働する。スプリングで付勢したラッチ８０は留め金８２内に受け入れられ、ラッチ８０を留め金８２から解放するために、スプリングで付勢したラッチ８０が第１のフレーム部材２２に向かって内側に押されるまで、そこに保持される。図６に示すように、各ラッチ８０は、第１のフレーム部材２２の該当する側のほぼ中央に配置されている。同様に、各留め金８２は、スクリーンアセンブリ２０が閉じた状態にあるときに、各ラッチ８０が該当する留め金８２に受け入れられるように、第２のフレーム部材２４の該当する側のほぼ中央に配置されている。
【００３３】
携帯しやすくするために、スクリーンアセンブリ２０はまた、片側で第２のフレーム部材２４に固定されたハンドル８４を有する。ハンドル８４は、第２のフレーム部材２４の端面に沿ってほぼ中央に配置されている。
【００３４】
使用時、図６に示すように、スクリーンアセンブリ２０は、各足部を開いた位置に移動させることによって垂直に立てられる。次に、各ラッチ８０を第１のフレーム部材２２に向かって内側に押すことで、各ラッチ８０を該当する留め金８２から解放する。ラッチ８０が留め金８２から解放されると、第１のフレーム部材２２および第２のフレーム部材２４を引き離し、それによって、スクリーン２８をそれらの間に繰り出す。運搬する場合、各ラッチ８０が該当する留め金８２に受け入れられるまで、第１のフレーム部材２２および第２のフレーム部材２４を互いに向かって移動させる。第１のフレーム部材２２および第２のフレーム部材２４をともに移動させると、スクリーン２８はスプリングで付勢したローラ２６に巻き取られる。次いで、Ｕ字形状の胴体部６４の端部をともに押すことで足部５２を閉じた位置に移動させ、それによって、後部ショルダ７６と該当する壁６０の縁部との当接を解除する。次いで、足部５２を回動させて該当する陥没受け口５６に入れる。
【００３５】
本発明の特定の実施形態を本明細書に示して説明した。しかし、これらの実施形態に対する修正と変形が可能である。例えば、今までどおりに同様に機能させながら、本明細書で説明した多数の要素の寸法および形状を変更することができる。そのような修正と変形はすべて、本発明の分野および範囲内であると考えられる。
【図面の簡単な説明】
【００３６】
【図１】本発明の実施形態によるスクリーンアセンブリの斜視図であり、スクリーンアセンブリが開いた状態で示されている。
【図２】図１のスクリーンアセンブリの別の斜視図であり、スクリーンアセンブリが開いた状態で示されている。
【図３】図１のスクリーンアセンブリの背面図であり、開いた状態と想像線で示した部分的に開いた状態とを示している。
【図４】図１のスクリーンアセンブリの背面図であり、部分的に開いた状態を示している。
【図５】図１のスクリーンアセンブリの背面図であり、閉じた状態を示している。
【図６】閉じた状態で示した図１のスクリーンアセンブリの斜視図であり、スクリーンアセンブリの足部を開いた状態で示している。
【図７】図１のスクリーンアセンブリの部分斜視図であり、足部を閉じた状態で示している。
【図８】足部の１つを含む図１のスクリーンアセンブリの部分分解図である。
【図９Ａ】開いた状態にある１つの足部を含む図１のスクリーンアセンブリの部分正面図である。
【図９Ｂ】図９Ａのスクリーンアセンブリの部分正面図であり、開いた位置から閉じた位置に移動するために足部の両側が押し付けられている。
【図１】
2008513814.tif 000003
【図２】
2008513814.tif 000004
【図３】
2008513814.tif 000005
【図４】
2008513814.tif 000006
【図５】
2008513814.tif 000007
【図６】
2008513814.tif 000008
【図７】
2008513814.tif 000009
【図８】
2008513814.tif 000010
【図９Ａ】
2008513814.tif 000011
【図９Ｂ】
2008513814.tif 000012
【国際調査報告】
2008513814.tif 000013
2008513814.tif 000014
2008513814.tif 000015